(57)【要約】【課題】利便性を高めるための改善された電子機器を提供する。【解決手段】電子機器は、スピーカ１３と、スピーカ１３を防塵する防塵部材１４と、防塵部材１４に当接するパネル２２と、を備え、パネル２２は、スピーカ孔９を有し、スピーカ孔９の内周面９ａと、パネル２２の防塵部材１４側の面１５ｂとがなす稜部は、面取り形状を有する。【選択図】図５
2018050193.tif 000002
【特許請求の範囲】
【請求項１】
スピーカと、
前記スピーカを防塵する防塵部材と、
前記防塵部材に当接するパネルと、を備え、
前記パネルは、スピーカ孔を有し、
前記スピーカ孔の内周面と、前記パネルの前記防塵部材側の面とがなす稜部は、面取り形状を有する、
電子機器。
【請求項２】
前記面取り形状は、Ｃ面取り形状又はＲ面取り形状である、請求項１に記載の電子機器。
【請求項３】
前記パネルは、前記スピーカ孔を形成する桟の前記防塵部材側の面に、前記防塵部材に当接するリブを備える、請求項１又は請求項２に記載の電子機器。
【請求項４】
スピーカと、
前記スピーカを防塵する防塵部材と、
前記防塵部材に当接するパネルと、を備え、
前記パネルは、スピーカ孔を有し、該スピーカ孔を形成する桟の前記防塵部材側の面に、前記防塵部材に当接するリブを備える、
電子機器。
【発明の詳細な説明】
【技術分野】
【０００１】
本発明は、電子機器に関する。
【背景技術】
【０００２】
従来、防水性能を有する電子機器が知られている（例えば、特許文献１参照）。
【先行技術文献】
【特許文献】
【０００３】
【特許文献１】特開２０１４−１２７８７８号公報
【発明の概要】
【発明が解決しようとする課題】
【０００４】
従来の防水性能を有する電子機器は、利便性を高めるための更なる改善の余地がある。
【０００５】
本発明は、上述の点に鑑みてなされたものであり、利便性を高めるための改善された電子機器を提供することを目的とする。
【課題を解決するための手段】
【０００６】
上記目的を達成する本発明の一実施形態に係る電子機器は、スピーカと、前記スピーカを防塵する防塵部材と、前記防塵部材に当接するパネルと、を備える。前記パネルは、スピーカ孔を有する。前記スピーカ孔の内周面と、前記パネルの前記防塵部材側の面とがなす稜部は、面取り形状を有する。
【０００７】
また、上記目的を達成する本発明の一実施形態に係る電子機器は、スピーカと、前記スピーカを防塵する防塵部材と、前記防塵部材に当接するパネルと、を備える。前記パネルは、スピーカ孔を有し、該スピーカ孔を形成する桟の前記防塵部材側の面に、前記防塵部材に当接するリブを備える。
【発明の効果】
【０００８】
本発明の一実施形態に係る電子機器によれば、利便性が高まる。
【図面の簡単な説明】
【０００９】
【図１】本発明の一実施形態に係る電子機器の概略正面図である。
【図２】本発明の一実施形態に係る電子機器の概略背面図である。
【図３】図２のＡ−Ａ断面を示す斜視図である。
【図４】図３の領域Ｄ１の拡大図である。
【図５】図４の領域Ｄ２の拡大図である。
【図６】蓋部の桟が面取り形状を有さない場合の一例を示す拡大図である。
【図７】リブを備える蓋部の概略斜視図である。
【図８】蓋部が桟の面取り形状に加えてリブを有する場合の一例を示す拡大図である。
【図９】蓋部が桟に面取り形状を有することなくリブを有する場合の一例を示す拡大図である。
【発明を実施するための形態】
【００１０】
以下、本開示に係る一実施形態について、図面を参照して説明する。
【００１１】
図１は、本開示の一実施形態に係る電子機器１の概略正面図である。図２は、本開示の一実施形態に係る電子機器１の概略背面図である。電子機器１は、例えばスマートフォン等の携帯電話機として実現できる。ただし、電子機器１は、携帯電話機に限られず、他の任意の電子機器として実現されてもよい。
【００１２】
電子機器１は、外観形状が概略長方形状をなす本体２を備える。本体２は、フロントケース２１と、リアケース２２とによって構成される。フロントケース２１は、ユーザが電子機器１を手に持って操作する際にユーザに対向する側に配置される。リアケース２２は、ユーザが電子機器１を手に持って操作する際にユーザの手のひらに対向して配置される。フロントケース２１とリアケース２２とは、例えば防水性能を有するように接着剤等で接着される。
【００１３】
フロントケース２１には、図１に示すように、タッチスクリーンディスプレイ３、着信ランプ４、近接センサ５、インカメラ６、マイク１０及びレシーバ１１が配置されている。
【００１４】
タッチスクリーンディスプレイ３は、フロントケース２１の正面側に配置されている。タッチスクリーンディスプレイ３は、ディスプレイと、タッチスクリーンとを有する（いずれも不図示）。
【００１５】
ディスプレイは、液晶ディスプレイ、有機ＥＬパネル、又は無機ＥＬパネル等の表示デバイスにより構成される。ディスプレイは、文字及び図形等の画像を表示できる。
【００１６】
タッチスクリーンは、タッチスクリーンディスプレイ３に対する指又はスタイラスペン等の接触を検出する。タッチスクリーンは、指又はスタイラスペン等がタッチスクリーンディスプレイ３に接触した位置、及び／又は、タッチ、タップ、ダブルタップ、スライド、ドラッグ、フリック、タッチアンドホールド、ピンチイン／ピンチアウト等のジェスチャを検出することができる。タッチスクリーンの検出方式は、静電容量方式、抵抗膜方式、表面弾性波方式（又は超音波方式）、赤外線方式、電磁誘導式、及び荷重検出方式等を含む任意の方式でよい。
【００１７】
着信ランプ４は、電話の着信時及びメールの受信時等に予め設定されたパターンに従って点滅する。また、着信ランプ４は、充電中に所定の色で点灯する。
【００１８】
近接センサ５は、フロントケース２１側における物体の接近を非接触で検出する。近接センサ５は、センサ検出面（不図示）がフロントケース２１の正面側に向くように配置されている。近接センサ５により、例えば、通話中において、タッチスクリーンディスプレイ３にユーザの顔が接近したことが検出される。
【００１９】
インカメラ６は、フロントケース２１に面している物体を撮影するためのカメラである。インカメラ６は、フロントケース２１からレンズ部のみが露出している。
【００２０】
マイク１０は、例えば通話時又は音声の録音時に、ユーザの発した音声を電気信号に変換する音声入力部である。
【００２１】
レシーバ１１は、例えば通話時に音声を出力する音声出力部である。マイク１０及びレシーバ１１は、正面側に例えば水の浸入を防ぐ防水膜を有する。
【００２２】
本体２の幅方向（図１及び図２の横方向）において、フロントケース２１とリアケース２２とが接合される一方の側面には、電源キー７、及び音量キー８が配置されている。
【００２３】
電源キー７は、例えば電源のオン／オフ等を行う際に操作される。
【００２４】
音量キー８は、例えば通話時の音量を調節する際に操作される。音量キー８を構成する２つのキーのうち、一方のキーを操作すると音量が大きくなり、他方のキーを操作すると音量が小さくなる。
【００２５】
リアケース２２の一部は、複数のスピーカ孔９を有する蓋部２３により構成されている。リアケース２２には、アウトカメラ１２が配置されている。
【００２６】
スピーカ孔９は、図２に示すように、リアケース２２において、本体２の背面を構成するパネル上に設けられる。電子機器１は、本体２の内部に、例えば防水性能を有するダイナミックスピーカを備え、当該ダイナミックスピーカが発する音が、スピーカ孔９から電子機器１の外部に出力される。
【００２７】
アウトカメラ１２は、リアケース２２に面している物体を撮影するためのカメラである。アウトカメラ１２は、リアケース２２からレンズ部のみが露出している。
【００２８】
電子機器１は、本体２の内部に、防水性能を有する中間筐体（不図示）を備える。中間筐体には、例えばバッテリ、メモリカード、ＩＣカード、通信アンテナ及び回路基板等（いずれも不図示）が収納されている。
【００２９】
本実施形態に係る電子機器１は、防水性能を有するため、電子機器１全体を水で洗うことができる。電子機器１を水で洗った場合には、スピーカ孔９から本体２の内部に水が入り込み、入り込んだ水が本体２に残留する場合がある。また、ユーザは、電子機器１の汚れの程度によっては、例えば洗剤を用いて電子機器１を洗うことを希望する場合がある。洗剤を用いて電子機器１を洗うと、洗った溶液に含まれる成分（洗浄成分）が本体２に残留する場合がある。洗浄成分が残留すると、電子機器１から出力される音の音響特性が変化する場合がある。本実施形態に係る電子機器１は、上記に鑑みて、スピーカ孔９において、水及び洗浄成分等が残留しにくい構造を有する。以下、電子機器１における水及び洗浄成分等が残留しにくい構造の詳細について説明する。
【００３０】
図３は、図２のＡ−Ａ断面を示す斜視図であり、電子機器１の断面構造を模式的に示す図である。図４は、図３における領域Ｄ１の拡大図である。
【００３１】
図３及び図４に示すように、電子機器１は、本体２の内部にスピーカ１３を備える。スピーカ１３は、例えば上述した防水性能を有するダイナミックスピーカであってよい。
【００３２】
電子機器１は、パネルであるリアケース２２及び蓋部２３と、スピーカ１３との間に、防塵部材１４を備える。防塵部材１４は、リアケース２２の蓋部２３に設けられたスピーカ孔９を蓋うように設けられてよい。防塵部材１４は、砂鉄等の磁性粒子及び塵等が本体２の内部へ侵入するのを防ぐ部材である。防塵部材１４は、例えばシート状である。
【００３３】
リアケース２２の蓋部２３は、防塵部材１４と当接する。具体的には、蓋部２３は、スピーカ孔９を形成するフレーム部である桟１５において、防塵部材１４と当接する。蓋部２３と防塵部材１４とは、例えば当接箇所において、両面テープで接着されてもよい。スピーカ１３と防塵部材１４との間には、空間１６が形成される。
【００３４】
電子機器１を、水又は洗剤で洗ったり水に浸けたりした場合、スピーカ孔９から空間１６に水及び洗浄成分が入り込む。
【００３５】
図５は、図４の領域Ｄ２の拡大図である。図５に示すように、本実施形態において、スピーカ孔９の内周面１５ａと、蓋部２３の防塵部材１４側の面１５ｂとがなす稜部は、面取り形状を有する。面取り形状は、例えば図５に示すようにＲ面取り形状であってよい。面取り形状は、Ｃ面取り形状であってもよい。
【００３６】
図６は、蓋部２３の桟１５が面取り形状を有さない場合の、図４の領域Ｄ２に対応する領域の一例を示す拡大図である。図６に示すように、桟１５が上記稜部に面取り形状を有さない場合、蓋部２３の面１５ｂと防塵部材１４との当接部分に水及び洗浄成分が入り込んで残留する場合がある。桟１５が稜部に面取り形状を有さない場合、桟１５が稜部に面取り形状を有する場合と比較して、面１５ｂと防塵部材１４との当接部分の面積が大きくなるため、当接部分に浸入して残留する水及び洗浄成分等の残留物の量が多くなる。また、桟１５が稜部に面取り形状を有さない場合、図６に模式的に示すように、水の表面張力により、稜部に沿って水及び洗浄成分が残留しやすくなる。水及び洗浄成分が残留すると、残留した水及び洗浄成分に、さらに水及び洗浄成分が結合して、残留物が蓄積（成長）しやすくなる。その結果、残留物がスピーカ孔９を塞いで、スピーカ孔９が目詰まりを起こしやすくなる。
【００３７】
これに対し、図５に示す本実施形態のように、稜部が面取り形状を有する場合には、稜部と防塵部材１４との間に空間１５ｃが形成される。そのため、桟１５が稜部に面取り形状を有さない場合と比較して、面１５ｂと防塵部材１４との当接部分の面積が小さくなり、当接部分に浸入して残留する水及び洗浄成分の量が少なくなる。また、空間１５ｃが形成されることにより、水及び洗浄成分が当該空間１５ｃに残留しにくくなる。さらに、空間１５ｃが形成されることにより、たとえ水及び洗浄成分が面１５ｂと防塵部材１４との当接部分に残留したとしても、残留した水及び洗浄成分は、空間１５ｃに蓄積される。そのため、稜部が面取り形状を有さない場合と比較して、残留物の蓄積によるスピーカ孔９の目詰まりへの影響を遅らせることができる。なお、空間１５ｃは、スピーカ孔９における空間１５ｃ以外の空間に比べて、外部への放音に対する影響が少ない。このようにして、本実施形態に係る電子機器１は、水及び洗剤などを用いて洗っても音響特性が変化しにくくなる。そのため、ユーザは、スピーカ孔９の目詰まりを気にすることなく、電子機器１の汚れ等の発生時に電子機器１を適宜洗うことができる。これにより、電子機器１の利便性が高まる。
【００３８】
本実施形態において、リアケース２２の蓋部２３は、桟１５の防塵部材１４側の面１５ｂに、防塵部材１４に当接するリブを備えていてもよい。蓋部２３は、例えば図７に示すように、桟１５において面１５ｂ側にリブ１７を有する。リブ１７は、図７に示すように桟１５の一部に設けられていてよい。リブ１７は、桟１５の全体に設けられていてもよい。
【００３９】
図８は、蓋部２３が、桟１５の面取り形状に加えて、リブ１７を有する場合の、図４の領域Ｄ２に対応する領域の一例を示す拡大図である。図８に示すように、蓋部２３が面取り形状を有する桟１５の防塵部材１４側の面１５ｂにリブ１７を有する場合、稜部と防塵部材１４との間に形成される空間１５ｃは、桟１５がリブ１７を有さない場合と比較して、大きくなる。そのため、水及び洗浄成分がさらに空間１５ｃに残留しにくくなる。また、蓋部２３は、リブ１７が防塵部材１４と当接するため、蓋部２３がリブ１７を有さない場合と比較して、蓋部２３と防塵部材１４との当接部分の面積が小さくなる。これにより、本実施形態に係る電子機器１は、水及び洗剤などを用いて洗っても音響特性が変化しにくくなる。そのため、ユーザは、スピーカ孔９の目詰まりを気にすることなく、電子機器１の汚れ等の発生時に電子機器１を適宜洗うことができる。これにより、電子機器１の利便性が高まる。
【００４０】
なお、蓋部２３は、リブ１７を有する場合、桟１５の稜部を面取り形状としなくてもよい。図９は、蓋部２３が、桟１５に面取り形状を有することなく、リブ１７を有する場合の、図４の領域Ｄ２に対応する領域の一例を示す拡大図である。図９に示すように、蓋部２３が桟１５の防塵部材１４側の面１５ｂにリブ１７を有する場合、桟１５が面取り形状を有さなくとも、面１５ｂと防塵部材１４との間に空間１５ｃが形成される。また、蓋部２３は、リブ１７が防塵部材１４と当接するため、蓋部２３がリブ１７を有さない場合と比較して、蓋部２３と防塵部材１４との当接部分の面積が小さくなる。これにより、水及び洗浄成分が面１５ｂと防塵部材１４との間に残留しにくくなる。そのため、本実施形態に係る電子機器１は、水及び洗剤などを用いて洗っても音響特性が変化しにくくなる。これにより、ユーザは、スピーカ孔９の目詰まりを気にすることなく、電子機器１の汚れ等の発生時に電子機器１を適宜洗うことができる。このようにして、電子機器１の利便性が高まる。
【００４１】
本開示を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部等に含まれる機能等は論理的に矛盾しないように再配置可能であり、複数の構成部を１つに組み合わせたり、或いは分割したりすることが可能である。
【００４２】
例えば、リアケース２２は、蓋部２３を有さなくてもよい。この場合、図２に示すリアケース２２と蓋部２３とが一体として形成されたリアケースが複数のスピーカ孔９を有していてもよい。また、この場合、上記実施形態において蓋部２３に設けられると説明した桟１５及びリブ１７等は、リアケース２２に設けられる。
【符号の説明】
【００４３】
１  電子機器
２  本体
３  タッチスクリーンディスプレイ
４  着信ランプ
５  近接センタ
６  インカメラ
７  電源キー
８  音量キー
９  スピーカ孔
１０  マイク
１１  レシーバ
１２  アウトカメラ
１３  スピーカ
１４  防塵部材
１５  桟
１５ａ  内周面
１５ｂ  面
１５ｃ  空間
１６  空間
１７  リブ
２１  フロントケース
２２  リアケース
２３  蓋部
【図１】
2018050193.tif 000003
【図２】
2018050193.tif 000004
【図３】
2018050193.tif 000005
【図４】
2018050193.tif 000006
【図５】
2018050193.tif 000007
【図６】
2018050193.tif 000008
【図７】
2018050193.tif 000009
【図８】
2018050193.tif 000010
【図９】
2018050193.tif 000011
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
スピーカと、
前記スピーカを防塵する防塵部材と、
前記防塵部材に当接するパネルと、を備え、
前記パネルは、スピーカ孔を有し、該スピーカ孔を形成する桟の中桟における少なくとも一部の前記防塵部材側の面に、前記防塵部材に当接するリブを備える、
電子機器。
【請求項２】
前記スピーカ孔の内周面と、前記パネルの前記防塵部材側の面とがなす稜部は、面取り形状を有する、請求項１に記載の電子機器。
【請求項３】
前記面取り形状は、Ｃ面取り形状又はＲ面取り形状である、請求項２に記載の電子機器。
【請求項４】
前記電子機器は、フロント側の主面を有し、
前記防塵部材は、前記電子機器のリア側に設けられ、前記フロント側の主面に沿った所定方向において中央から端に向かうにつれて該防塵部材とフロント側の主面との距離が小さくなるような曲面形状を有し、
前記スピーカ孔は、前記所定方向に並ぶ複数のスピーカ孔を含み、
前記パネルは、前記所定方向に並ぶ複数の中桟を有し、該複数の中桟の内、前記所定方向における前記端に近い側の中桟に前記リブを備える、請求項１に記載の電子機器。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
上記目的を達成する本発明の一実施形態に係る電子機器は、スピーカと、前記スピーカを防塵する防塵部材と、前記防塵部材に当接するパネルと、を備える。前記パネルは、スピーカ孔を有し、該スピーカ孔を形成する桟の中桟における少なくとも一部の前記防塵部材側の面に、前記防塵部材に当接するリブを備える。
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
スピーカと、
前記スピーカを防塵する防塵部材と、
前記防塵部材に当接するパネルと、を備え、
前記パネルは、スピーカ孔を有し、該スピーカ孔を形成する桟の中桟における少なくとも一部の前記防塵部材側の面に、前記防塵部材に当接するリブを備える、
電子機器であって、
前記電子機器は、フロント側の主面を有し、
前記防塵部材は、前記電子機器のリア側に設けられ、前記フロント側の主面に沿った所定方向において中央から端に向かうにつれて該防塵部材とフロント側の主面との距離が小さくなるような曲面形状を有し、
前記スピーカ孔は、前記所定方向に並ぶ複数のスピーカ孔を含み、
前記パネルは、前記所定方向に並ぶ複数の中桟を有し、該複数の中桟の内、前記所定方向における前記端に近い側の中桟に前記リブを備える、
電子機器。
【請求項２】
前記スピーカ孔の内周面と、前記パネルの前記防塵部材側の面とがなす稜部は、面取り形状を有する、請求項１に記載の電子機器。
【請求項３】
前記面取り形状は、Ｃ面取り形状又はＲ面取り形状である、請求項２に記載の電子機器。
【手続補正２】
【補正対象書類名】明細書
【補正対象項目名】０００７
【補正方法】変更
【補正の内容】
【０００７】
上記目的を達成する本発明の一実施形態に係る電子機器は、スピーカと、前記スピーカを防塵する防塵部材と、前記防塵部材に当接するパネルと、を備える。前記パネルは、スピーカ孔を有し、該スピーカ孔を形成する桟の中桟における少なくとも一部の前記防塵部材側の面に、前記防塵部材に当接するリブを備える。前記電子機器は、フロント側の主面を有する。前記防塵部材は、前記電子機器のリア側に設けられ、前記フロント側の主面に沿った所定方向において中央から端に向かうにつれて該防塵部材とフロント側の主面との距離が小さくなるような曲面形状を有する。前記スピーカ孔は、前記所定方向に並ぶ複数のスピーカ孔を含む。前記パネルは、前記所定方向に並ぶ複数の中桟を有し、該複数の中桟の内、前記所定方向における前記端に近い側の中桟に前記リブを備える。